(57)【要約】【課題】膀胱の筋力を向上させるトレーニングに用いる膀胱及び肛門の筋力トレーニング装置を提供する。【解決手段】筋力トレーニング装置は、装置本体１０を備える。装置本体１０は、略Ｕ字状を呈して両側が外方へ延びた対称構造の２枚の弾力挟持板１１を有する。装置本体１０と２枚の弾力挟持板１１との間には、円弧面１２が形成される。円弧面１２には、左右の大腿で２枚の弾力挟持板１１を挟む際、左右の大腿内側が当接される。装置本体１０の内側には、弾力挟持板１１に隣接する箇所に２つの位置決め部１４，１５が設けられ、位置決め部１４，１５によりＵ字状弾性部材２０が係合される。Ｕ字状弾性部材２０の両側には、２つの位置決め部１４，１５に対応するように２つの槽孔２１が形成される。位置決め部１４，１５上には、ねじ１７を螺着するねじ孔１６が形成される。【選択図】図２
0003201086.tif 000002
【実用新案登録請求の範囲】
【請求項１】
トレーニング装置本体を備える膀胱及び肛門の筋力トレーニング装置であって、
前記トレーニング装置本体は、略Ｕ字状を呈して両側が外方へ延びた対称構造の２枚の弾力挟持板を有し、前記トレーニング装置本体と前記２枚の弾力挟持板との間には、円弧面が形成され、前記円弧面には、左右の大腿で前記２枚の弾力挟持板を挟む際、左右の大腿内側が当接され、前記トレーニング装置本体の内側には、前記弾力挟持板に隣接する箇所に２つの位置決め部が設けられ、前記位置決め部によりＵ字状弾性部材が係合され、
前記Ｕ字状弾性部材の両側には、前記２つの位置決め部に対応するように２つの槽孔が形成され、
前記位置決め部上には、前記Ｕ字状弾性部材が外れることを防ぐために、ねじを螺着するねじ孔が形成されることを特徴とする膀胱及び肛門の筋力トレーニング装置。
【請求項２】
前記トレーニング装置本体の内側には、頭部に隣接するように接続リブが一体成形されることを特徴とする請求項１に記載の膀胱及び肛門の筋力トレーニング装置。
【請求項３】
前記Ｕ字状弾性部材の両側には、前記円弧面に当接させることができるように、２つの弧状面が形成されていることを特徴とする請求項１に記載の膀胱及び肛門の筋力トレーニング装置。
【請求項４】
前記Ｕ字状弾性部材は、合金鋼からなることを特徴とする請求項１に記載の膀胱及び肛門の筋力トレーニング装置。
【請求項５】
前記トレーニング装置本体の頭部には、ユーザーが前記トレーニング装置本体を容易に手で持てるように凹部が形成されていることを特徴とする請求項１に記載の膀胱及び肛門の筋力トレーニング装置。
【請求項６】
前記トレーニング装置本体の両側内壁には、蓋体を結合する結合溝が形成され、
前記蓋体の底面両側には、前記結合溝に対応するように結合部が設けられ、前記蓋体が前記トレーニング装置本体に蓋設されると、前記結合部が前記結合溝に結合されることを特徴とする請求項１に記載の膀胱及び肛門の筋力トレーニング装置。
【請求項７】
一方の前記位置決め部は、前記トレーニング装置本体に対して垂直に配設され、
他方の前記位置決め部は、前記トレーニング装置本体に対して斜めに配設されることを特徴とする請求項１に記載の膀胱及び肛門の筋力トレーニング装置。
【考案の詳細な説明】
【技術分野】
【０００１】
本考案は、膀胱及び肛門の筋力トレーニング装置に関するものであり、さらに詳しくは、膀胱の筋力を向上させるトレーニングに用いる膀胱及び肛門の筋力トレーニング装置に関するものである。
【背景技術】
【０００２】
一般に、尿失禁は悩ましい疾病であり、衛生面でも好ましくないだけでなく、社交範囲が狭まり、職業上、生理上、性生活上などで正常な生活を送ることが困難であり、最悪の場合、患者の自尊心に悪影響を及ぼす虞もある。統計によると台湾の２０歳以上の女性のうち、約３０％が尿失禁の問題を抱えている。そのうち半分の者は尿失禁の程度が生活の質に大きく影響していると認められている。しかし、尿失禁の解決策を探求するものは少数であった。それは尿失禁が自然な老化現象であると大部分の患者が考えていることが主な理由であった。しかし、実際には、尿失禁は老人又は産後の女性だけの問題点ではなく、未だ出産を経験していない若い女性にもよく起きている。
【０００３】
日本社会の高齢化と同様、台湾も高齢化に伴って同様の問題に直面する虞があり、その解決策が求められてきた。トレーニングマシンも開発されていたが、従来のトレーニングマシンは、長尺状の弾性体両端に弧状の挟持プレートがそれぞれ係合され、手で支えずに直接大腿の内側に密着させ、両足の大腿に力を入れて閉じる動作を行い、両端に力が加わって弾性体が曲げられてその反発力で開かれることにより、左右の大腿に力を加えて閉じたり力を抜いて大腿を外側へ開いたりする動作を行うものである。このような動作により、腿、腹部などの脂肪が減り、筋肉を鍛えることができるとともに、股間部位の筋肉の収縮運動及び肛門運動により、出産後の膣の緩み、尿失禁などの疾病を治療することができる。また、弾性体は、より実用的にするために、特別に着脱が容易な係止部材により、必要に応じて弾力を適宜増減させることができるように考案されたものである。
【０００４】
上述したトレーニングマシンは、構成部材が多すぎる上、各部材を製作するための金型が必要であるため、製造コストが高くて組立が面倒で不便であるとともに組立体の構造強度が低く、操作する際、組立箇所が断裂して損壊してしまう虞があり、これら従来技術の問題点を解決する技術が求められてきた。
【考案の概要】
【考案が解決しようとする課題】
【０００５】
従って、本考案の第１の課題は、前記の従来の筋力トレーニング装置において、ユーザーが弾力挟持板を挟持する際、適切な弾性回復力を利用することができ、膀胱の筋力を鍛えて尿失禁の問題を改善する機能的な膀胱及び肛門の筋力トレーニング装置を提供することにある。
また、第２の課題は、前記の筋力トレーニング装置の構造強度を高めることができ、弾力挟持板の弾性をさらに高めることが可能な膀胱及び肛門の筋力トレーニング装置を提供することにある。
さらに第３の課題は、ユーザーがトレーニング装置の使用中に掻き傷を負うことを防止できる膀胱及び肛門の筋力トレーニング装置を提供することにある。
【課題を解決するための手段】
【０００６】
そこで、本考案者は、前記の本考案の課題を解決するため鋭意検討を重ねた結果、次の手段により、前記課題を解決できることに着目し、本考案に想到するに至った。
本考案の第１の課題に対しては、トレーニング装置本体が略Ｕ字状を呈して両側が外方へ延びた対称構造の２枚の弾力挟持板を有し、トレーニング装置本体と２枚の弾力挟持板との間には、円弧面が形成され、円弧面は、左右の大腿で２枚の弾力挟持板を挟む際、左右の大腿内側を当接させ、トレーニング装置本体の内側には、弾力挟持板に隣接する箇所に２つの位置決め部が設けられ、位置決め部によりＵ字状弾性部材が係合され、Ｕ字状弾性部材により達成するものである。
また、本考案の第２の課題に対しては、トレーニング装置本体内側の頭部に隣接した箇所に一体成形された接続リブにより、トレーニング装置本体の構造強度を高めることができる上、支点として利用することもできるために、弾力挟持板の弾性を高めることができる。
本考案の第３の課題に対しては、Ｕ字状弾性部材の両側に、円弧面に対応するように形成された２つの弧状面を介して円弧面上に当接されるようにすることにより、Ｕ字状弾性部材の突出した２つの鋭利な箇所によりユーザーが掻き傷を負うことを防ぐことが可能な構成としたものである。
かくして、本考案の要旨は、次の通りである。
（１）トレーニング装置本体を備える膀胱及び肛門の筋力トレーニング装置であって、
前記トレーニング装置本体は、略Ｕ字状を呈して両側が外方へ延びた対称構造の２枚の弾力挟持板を有し、前記トレーニング装置本体と前記２枚の弾力挟持板との間には、円弧面が形成され、前記円弧面には、左右の大腿で前記２枚の弾力挟持板を挟む際、左右の大腿内側が当接され、前記トレーニング装置本体の内側には、前記弾力挟持板に隣接する箇所に２つの位置決め部が設けられ、前記位置決め部によりＵ字状弾性部材が係合され、
前記Ｕ字状弾性部材の両側には、前記２つの位置決め部に対応するように２つの槽孔が形成され、
前記位置決め部上には、前記Ｕ字状弾性部材が外れること防ぐために、ねじを螺着するねじ孔が形成されることを特徴とする膀胱及び肛門の筋力トレーニング装置。
（２）前記トレーニング装置本体の内側には、頭部に隣接するように接続リブが一体成形されることを特徴とする前記（１）に記載の膀胱及び肛門の筋力トレーニング装置。
（３）前記Ｕ字状弾性部材の両側には、前記円弧面に当接させることができるように、２つの弧状面が形成されていることを特徴とする前記（１）に記載の膀胱及び肛門の筋力トレーニング装置。
（４）前記Ｕ字状弾性部材は、合金鋼からなることを特徴とする前記（１）に記載の膀胱及び肛門の筋力トレーニング装置。
（５）前記トレーニング装置本体の頭部には、ユーザーが前記トレーニング装置本体を容易に手で持てるように凹部が形成されていることを特徴とする前記（１）に記載の膀胱及び肛門の筋力トレーニング装置。
（６）前記トレーニング装置本体の両側内壁には、蓋体を結合する結合溝が形成され、
前記蓋体の底面両側には、前記結合溝に対応するように結合部が設けられ、前記蓋体が前記トレーニング装置本体に蓋設されると、前記結合部が前記結合溝に結合されることを特徴とする前記（１）に記載の膀胱及び肛門の筋力トレーニング装置。
（７）一方の前記位置決め部は、前記トレーニング装置本体に対して垂直に配設され、
他方の前記位置決め部は、前記トレーニング装置本体に対して斜めに配設されることを特徴とする前記（１）に記載の膀胱及び肛門の筋力トレーニング装置。
【考案の効果】
【０００７】
本考案に係る膀胱及び肛門の筋力トレーニング装置によれば、前記の構成からなるものであり、構成部材が少なく、組み立てが容易であると共に、組立体の構造強度が高く、適切な弾性力を有することから、前記の通り、前記筋力トレーニングにおいて顕著な効果を奏するなど、前記課題をすべて解決することができる。
【図面の簡単な説明】
【０００８】
【図１】図１は、本考案の一実施形態に係る膀胱及び肛門の筋力トレーニング装置を示す斜視図である。
【図２】図２は、本考案の一実施形態に係る膀胱及び肛門の筋力トレーニング装置を示す分解斜視図である。
【図３】図３は、本考案の一実施形態に係る膀胱及び肛門の筋力トレーニング装置を示す平面図である。
【図４】図４は、図３の線Ｂ−Ｂに沿った断面図である。
【図５】図５は、本考案の一実施形態に係る膀胱及び肛門の筋力トレーニング装置の使用状態の説明図である。
【図６】図６は、本考案の一実施形態に係る膀胱及び肛門の筋力トレーニング装置の使用状態の説明図である。
【考案を実施するための形態】
【０００９】
図１〜図４を参照する。図１は、本考案の一実施形態に係る膀胱及び肛門の筋力トレーニング装置を示す斜視図である。図２は、本考案の一実施形態に係る膀胱及び肛門の筋力トレーニング装置を示す分解斜視図である。図３は、本考案の一実施形態に係る膀胱及び肛門の筋力トレーニング装置を示す平面図である。図４は、図３の線Ｂ−Ｂに沿った断面図である。図１〜図４に示すように、本考案の一実施形態に係る膀胱及び肛門の筋力トレーニング装置は、トレーニング装置本体１０を含む。トレーニング装置本体１０は、略Ｕ字状を呈して両側が約４５°傾いて外方へ延びた対称構造の２つの弾力挟持板１１を有する。トレーニング装置本体１０と２枚の弾力挟持板１１との間には、円弧面１２が形成される。円弧面１２は、左右の大腿内側で２枚の弾力挟持板１１を挟む際、快適に当接させることができる。トレーニング装置本体１０内側の頭部に隣接した箇所に一体成形された接続リブ１３により、トレーニング装置本体１０の構造強度を高めることができる上、支点として利用することもできるため、弾力挟持板１１の弾性を好適に維持することができる。トレーニング装置本体１０内側の弾力挟持板１１に隣接した箇所には、２つの位置決め部１４，１５が設けられる。位置決め部１４は、トレーニング装置本体１０に対して垂直に配設される。位置決め部１５は、Ｕ字状弾性部材２０を容易に係合させることができるように、トレーニング装置本体１０に対して斜めに配置される。Ｕ字状弾性部材２０は、薄い合金鋼からなり、高い可撓性及び弾性復元力を有する。Ｕ字状弾性部材２０の両側には、２つの位置決め部１４，１５に対応するように２つの槽孔２１が形成される。位置決め部１４上には、Ｕ字状弾性部材２０が外れることを防ぐために、ねじ１７を螺着するねじ孔１６が形成されている。Ｕ字状弾性部材２０の両側には、円弧面１２に対応するように２つの弧状面２２が形成され、２つの弧状面２２を介して円弧面１２上に当接されるため、Ｕ字状弾性部材２０の突出した２つの鋭利な箇所がユーザーに掻き傷を負わせることを防ぐ。トレーニング装置本体１０の頭部には、ユーザーがトレーニング装置本体１０を手で持ち易いように凹部１８が形成され、トレーニング装置本体１０の接続リブ１３の両側に形成した結合溝１９に蓋体３０を結合する。蓋体３０の底面には、結合溝１９に対応するように結合部３１が設けられ、蓋体３０は結合部３１を介してトレーニング装置本体１０に蓋設されると、結合部３１が結合溝１９に結合される。
【００１０】
以下、上述した各部材により構成された本考案の膀胱及び肛門の筋力トレーニング装置の実際の操作を説明する。
【００１１】
図５及び図６を参照する。図５は、本考案の一実施形態に係る膀胱及び肛門の筋力トレーニング装置の使用状態の説明図である。図６は、本考案の一実施形態にかかる膀胱及び肛門の筋力トレーニング装置の使用状態の説明図である。図５及び図６に示すように、実際に使用する際、両足の大腿内側の臀部下方でトレーニング装置本体１０の２枚の弾力挟持板１１を挟んで、足を閉じたり開いたりする動作を繰り返すと、膀胱の筋力を鍛えることができる。
【符号の説明】
【００１２】
１０  トレーニング装置本体
１１  弾力挟持板
１２  円弧面
１３  接続リブ
１４  位置決め部
１５  位置決め部
１６  ねじ孔
１７  ねじ
１８  凹部
１９  結合溝
２０  Ｕ字状弾性部材
２１  槽孔
２２  弧状面
３０  蓋体
３１  結合部
【図１】
0003201086.tif 000003
【図２】
0003201086.tif 000004
【図３】
0003201086.tif 000005
【図４】
0003201086.tif 000006
【図５】
0003201086.tif 000007
【図６】
0003201086.tif 000008